(57)【要約】      （修正有）【課題】埋め込みナットがロックされたままロック解除出来ずに埋込みナットを抜き戻すことがある他、ロック解除も個々の手作業を必要とし、外形ネジ型埋め込みナットの埋め込み作業の自動化は困難な為、このロック、及びロック解除を自動化する。【解決手段】外形ネジ型埋め込みナット１０の挿入ガイドネジ２の突き当てロック部４をテーパーカム機構５としてロック突き当て部に埋め込みナットがガイドネジによって呼び込まれ接触すると同時にガイド軸に対して、ロック突き当て部は埋め込みナットと同方向に回転して、テーパーカムの作用に拠って、埋め込みナットは挿入ガイドネジに自動的にロックされ、作業完了時ガイドネジを抜き取るときはテーパーカムの作用で自動的にロックは解除される為外形ネジ型埋め込みナットの埋め込み作業の自動化が可能になる。【選択図】図２
2007105866.tif 000002
【特許請求の範囲】
【請求項１】
外形ネジ型埋め込みナット用のガイドネジの突き当てロック部をテーパーカム機構とし、ロック突き当て部が埋め込みナットに接触すると同時に、ガイド軸に対してロック突き当て部は埋め込みナットと同方向に回転して、テーパーカムの作用に拠って埋め込みナットはガイド軸にロックされガイドネジを埋め込みナットから抜き取り方向に回転させるとテーパーカムの作用で埋め込みナットのストップロックは自動的に解除される事を特徴とする外形ネジ型埋め込みナットの埋め込み自動化治具。
【請求項２】
請求項１の先端部ガイド用ネジを埋め込みナットの長さ或いは埋め込み作業の作業性に合わせ可変出来るよう、ロック部テーパーカムの受け部（軸側固定部）を軸側にガイドネジと反方向の受けネジを設けこれに羅合するスリーブのガイドネジ側をテーパーカム受け部として予め手作業で、先端ガイドネジ部の長さを調整する様にした、外形ネジ型埋め込みナットの埋め込み自動化治具。
【発明の詳細な説明】
【技術分野】
【０００１】  本発明は、軽合金・モールド製品等のネジ孔の強化や、修正等に使用する外形ネジ型埋め込みナットの挿入埋め込み作業に使用する治具のガイドネジに埋め込みナットを固定するためのロック機構として、従来突き当て式かロックナット方式しか無く、埋め込み後ロックが解除されずに埋め込んだナットを抜き戻す事故も多く、手作業用治具しか出来ていなかったため、埋め込みナットのガイドネジのロック及びロック解除を自動化することで、外形ネジ型埋め込みナットの埋め込み作業を手作業が機械化作業に変換するため埋め込み作業の自動化用治具。
【背景技術】
【０００２】  従来外径ネジ型埋め込みナットのガイドネジに対するロック方式には突き当て式とロックナット式があり、ロックナット式には当社開発に拠る対抗ネジ方式がある。
【特許文献１】  実用新案登録第２５４００１１号
【特許文献２】  実用新案登録第３１０８１０２号
【発明の開示】
【発明が解決しようとする課題】
【０００３】  外径ネジ型埋込みナットの埋め込み用治具に外形ネジ型埋め込みナットを装着するには挿入ガイドネジに突き当て部を設けて突き当ててロックするか、埋め込みナットの前にロツクナツトを入れこれを手動で締めつけて埋め込みガイドネジに固定しているが、ロック解除が出来ず埋め込みナットを抜き戻す事も有り、埋め込みナットのロック及びロック解除は手作業に拠るしかなく、作業の連続自動化は困難とされていたが、外形ネジ型埋め込みナットの埋め込み用治具の先端部埋め込みナット用ガイドネジの奥ロック用ネジを先端ガイドネジに対し反方向、先端ガイドネジが右ネジの場合は左ネジとしてロックナットも左ネジとするか、ガイドネジをロックネジ部を含め綾目ネジとしてロックナットは埋め込みナットと反方向のナットを使用することでロック及びロック解除操作作業を自動化できるが、ロック解除操作が不安定に成ることを防ぎ動作の確実化の為の機構を開発した。
【課題を解決するための手段】
【０００４】  外形ネジ型埋め込みナット用のガイドネジの突き当てロック部をテーパーカム機構で受け止め、ロック突き当て部がねじ込まれた埋め込みナットに接触すると同時に、ガイド軸に対して、ロック突き当て部は埋め込みナットと同方向に回転して、テーパーカムの作用に拠って埋め込みナットはガイド軸にロックされ、ガイドネジを埋め込みナットから抜き取り方向に回転させるとテーパーカムの作用で埋め込みナットのロックは自動的に解除される。【０００５】  上記機構のガイドネジの長さは、埋め込みナットの長さや作業性似合わせ可変出来る様ロック突き当て部テーパーカムの軸側固定受け部を、軸にガイドネジと反対方向の受けネジを設け、それに羅合するスリーブ状金物の先端をカップリング爪を兼ねたテーパー受けとし、ロック突き当て側テーパーカムはカップリング爪受けを兼ねた変則テーパーカムカップリングを形成し、ガイドネジのロック突き当て部からの長さを埋め込みナットの長さ或いは作業性に合わせ予め調整する。
【発明の効果】
【０００６】  本発明に於いて埋め込み用ガイドネジを埋め込みナットにねじ込み、埋め込みナットがロック突き当て面に接触すると同時にガイド軸に対してロック突き当て部は埋め込みナットと同方向に回転してテーパーカムの作用に拠って埋め込みナットを押しつける力が働き埋め込みナットは自動的にガイドネジにロックされるが、ナット埋め込み作業を終了して、埋め込みガイドネジを埋め込みナットから抜き取る方向に回転しようとすると、テーパーカムの効果によってロック面が埋め込みナットから自動的に引き離されるのでロック解除ミスの無い自動ロック機構が提供できる。【０００７】本発明はガイドネジ部の長さ調整機構としてガイドネジ部の上、軸中間にガイドネジと反方向の受けネジを設け、これに羅合するスリーブのガイドネジ側端部をテーパーカム受けを兼ねたカップリング爪とし、ロック突き当て部のテーパーカムカップリング受けと結合されて居て、埋め込みナットの長さに合わせ或いは作業性に応じたガイドネジ長に手作業に拠って予め調整てきると同時に埋め込みナットの自動ロック・ロック解除の補助機構を兼ねる機能がある。
【発明を実施するための最良の形態】
【０００８】  本発明の実施形態として、使用する外形ネジ型埋め込みナットの長さ或いは作業性に拠るガイドネジ長可変複合タイプ又は部品点数最小の基本型外形ネジ型埋め込みナット用埋め込み自動化治具。
【実施例１】
【０００９】  本発明の実施例を図に拠って説明すると、図１は発明の基本実施例であって、治具本体の回転軸（１）の先端部は挿入埋め込みナット（１０）のガイドネジ（２）が設けられ挿入ナット突き当てロック部（４）とテーパーカム（５）が一体型スリーブとしてカム突き当て部（３）ストッパー爪（６）にスプリング（７）を介してカバー（８）に拠って保持されていて、ガイドネジに埋め込みナット（１０）がねじ込まれ、ロック部突き当て（４）に接触するとロック部突き当て（４）トテーパーカム（５）は軸（１）に対し埋め込みナット（１０）と同方向に回転してテーパーカム（５）ストッパー爪（６）の作用で埋め込みナット（１０）を押し付ける力が働き、埋め込みナット（１０）はガイドネジ（２）に自動的にロックされる。又被加工物（９）に埋め込み加工終了時埋め込みナット（１０）からガイドネジ（２）を抜き取る為軸（１）を逆転しようとするとテーパーカム（５）とストッパー爪（６）の作用で埋め込みナット（１０）と突き当て（４）を引き離す力が働きガイドネジ（２）と埋め込みナット（１０）のロックは自動的に解除され埋め込みナット（１０）からガイドネジ（２）が抜き取れる。
【実施例２】
【００１０】  図２は本発明の応用実施例で治具本体の回転軸（１）の先端部のガイドネジ（２）の突き当て（４）とガイドネジ（２）先端迄の長さを埋め込みナット（１０）の長さ或いは埋め込み加工の作業性に拠って可変てきる様にカム突き当て部（３）・ストッパー爪（６）を軸（１）から切離し軸（１）にガイドネジ（２）と反方向のネジ（１１）を設けそれに羅合するスリーブ（１２）のガイド軸側にストッパー爪（６）を設けてスプリング（７）を介しカバー（８）に拠ってロック部突き当てと結合保持され、手動に拠り突き当て部（４）とガイドネジ（２）先端の長さを予め調整できると伴に自動ロック機構の補助機構として作動し、埋め込みナット（１０）の自動ロック・・解除機能向上効果を付加する事ができる。
【産業上の利用可能性】
【００１１】  本発明は全ての外形ネジ型埋め込みナットの埋め込み治具と埋め込みナットのロック作業を自動化することで埋め込み全行程の自動化が可能になる。
【図面の簡単な説明】
【００１２】
【図１】  基本実施例を示す図である。
【図２】  応用実施例を示す図である。
【符号の説明】
【００１３】  １……本体回転軸
２……ガイドネジ
３……カム突き当て部
４……ロック部
５……テーパーカム
６……ストッパー爪
７……スプリング
８……カバー
９……ワーク
１０……埋め込みナット
１１……反方向ネジ
１２……スリーブ
【図１】
2007105866.tif 000003
【図２】
2007105866.tif 000004